【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
冷凍外科療法用装置であって、
処置される組織中に配置されるように適合され、かつ活性化の際に組織を冷却して該組織においてアイスボールを形成することができる近位端、遠位端、および冷却部分と、導電性の第1の部分とを有する細長い冷凍プローブ、
該冷凍プローブに連結され、かつ該第1の部分から間隔のあいた領域における導電性の第2の部分を有するエネルギー伝導エレメント、
該第1の部分と該第2の部分との間になされる電気的絶縁、ならびに
アイスボールの配置を制御するために該アイスボールの領域における組織の加熱を産生することが可能である該第1の部分および第2の部分の一方に操作可能に連結された電磁エネルギーの供給源
を備える、装置。
【請求項２】
エネルギーの供給源が高周波エネルギー発生装置を備える、請求項1記載の装置。
【請求項３】
第1の部分および第2の部分の一方が電磁エネルギー発生装置に操作可能に接続され、第1の部分および第2の部分の他方がアース端子に接続されている、請求項1記載の装置。
【請求項４】
第2の部分がアース端子に接続され、冷凍プローブから側方に間隔をあけて組織中で配置されるように適合され且つアイスボールの配置のさらなる制御を提供するためにアース端子に接続される導電性アース針をさらに備える、請求項3記載の装置。
【請求項５】
アース針の遠位端部分が露出され、かつ電気的絶縁物質が該アース針の残りの部分を覆う、請求項4記載の装置。
【請求項６】
冷凍プローブが細長い導電性メンバーを備え、エネルギー伝導エレメントが該導電性メンバーの一部を取り囲み、および電気的絶縁が該導電性メンバーと該エネルギー伝導エレメントとの間になされる、請求項1記載の装置。
【請求項７】
伝導エレメントが同軸上に冷凍プローブの一部を取り囲む細長い電気的かつ熱的に伝導性のシースを備え、露出した該伝導エレメントの遠位端および電気的な絶縁性物質の第2の層が該伝導エレメントの残りの部分を覆っている、請求項6記載の装置。
【請求項８】
極低温媒体を冷凍プローブに供給するための機構をさらに備える、請求項1記載の装置。
【請求項９】
伝導エレメントが冷凍プローブの一部の上部に配置された細長いシースを備え、該シースは冷凍プローブから取り外し可能である、請求項1記載の装置。
【請求項１０】
シースを冷凍プローブに固定するための開放可能なインターロックをさらに備える、請求項9記載の装置。
【請求項１１】
冷凍プローブの冷却部分の領域に温度を感知することが可能な温度センサーをさらに備える、請求項1記載の装置。
【請求項１２】
第2の部分の領域に温度を感知することが可能な温度センサーをさらに備える、請求項1記載の装置。
【請求項１３】
冷凍プローブが、細長い熱伝導性かつ導電性の針メンバーを備え、ここで、極低温媒体が冷却部分の領域において組織凍結を生じるために該針メンバーを通過され得る、請求項1記載の装置。
【請求項１４】
冷却部分および導電性の第1の部分が冷凍プローブの遠位端に隣接する、請求項1記載の装置。
【請求項１５】
エネルギー伝導エレメントが、シースから外部に長軸方向に広がる冷凍プローブの遠位端を有する冷凍プローブ上に収容された細長いシースを備え、該遠位端は組織を貫通するように配置される、請求項14記載の装置。
【請求項１６】
シースが冷凍プローブ上に取り外し可能に収容され、該シースを該冷凍プローブに固定するための取り外し可能なインターロックをさらに備える、請求項15記載の装置。
【請求項１７】
電気的絶縁が冷凍プローブとシースとの間になされ、該絶縁の遠位端部分は該シースから外部に長軸方向に広がり、かつ該冷凍プローブの遠位端は該絶縁から外側に長軸方向に広がる、請求項15記載の装置。
【請求項１８】
アース端子に接続された冷凍プローブから側方向に間隔をおいて組織中に位置決めするための導電性針をさらに備える、請求項1記載の装置。
【請求項１９】
冷凍プローブが配置される被験体の皮膚に対して位置決めするための導電性かつアースされたエレメントをさらに備える、請求項1記載の装置。
【請求項２０】
冷凍外科療法用装置であって、
近位端および遠位端を有する細長い冷凍プローブであって、該遠位端は処置される組織中に位置決めされるように適合され、かつ活性化の際に該組織においてアイスボールを形成することができ、該遠位端は導電性の第1の部分を有する、冷凍プローブ、
該冷凍プローブに連結され、かつ該第1の部分から該近位端に向かって間隔のあいた位置において導電性の第2の部分を有するエネルギー伝導エレメント、ならびに
該第1の部分と該第2の部分との間になされる電気的絶縁
を備え、
該第1の部分および該第2の部分は、アイスボールの配置を制御するために該アイスボールの領域における組織の加熱を生じるように組織加熱電磁エネルギーの供給源に対する操作可能な連結のために適合されている、装置。
【請求項２１】
冷凍プローブが細長い導電性メンバーを備え、エネルギー伝導エレメントが導電性メンバーの一部を取り囲み、および電気的絶縁が該導電性メンバーと該エネルギー伝導エレメントとの間になされる、請求項20記載の装置。
【請求項２２】
伝導エレメントが、露出した該伝導エレメントの遠位端を有する冷凍プローブの一部を同軸上に取り囲む細長いシースを備え、絶縁物質の第2の層が伝導エレメントの残りの部分を覆う、請求項21記載の装置。
【請求項２３】
伝導エレメントが冷凍プローブの一部の上部に配置された細長いシースを備え、該シースは該冷凍プローブから取り外し可能である、請求項20記載の装置。
【請求項２４】
冷凍プローブにシースを固定するための取り外し可能なインターロックをさらに備える、請求項23記載の装置。
【請求項２５】
冷凍プローブの遠位端の領域において温度を感知することができる温度センサーをさらに備える、請求項20記載の装置。
【請求項２６】
第2の部分の領域において温度を感知することができる温度センサーをさらに備える、請求項20記載の装置。
【請求項２７】
冷凍プローブが熱伝導性かつ導電性の細長い針メンバーを備え、該針メンバーにおいて、極低温媒体が遠位端の領域において組織凍結を産生するために通過することができ、かつホルダーが冷凍プローブの近位端に連結される、請求項20記載の装置。
【請求項２８】
エネルギー伝導エレメントが針上に収容されるようなサイズにされた細長いシースを備え、該針は該シースから外側に長軸方向に広がる該針の遠位端を有する、請求項27記載の装置。
【請求項２９】
シースを冷凍プローブに固定するための取り外し可能なインターロックをさらに備える、請求項28記載の装置。
【請求項３０】
電気的絶縁が針とシースとの間になされ、該絶縁の遠位端部分がシースから外側に長軸方向に広がり、該針の遠位端が該絶縁から外側に長軸方向に広がる、請求項28記載の装置。
【請求項３１】
冷凍プローブが該冷凍プローブに極低温媒体を供給するための機構に操作可能に接続されるように適合されたコネクターを備える、請求項20記載の装置。
【請求項３２】
冷凍外科療法用装置であって、
近位端および遠位端を有する細長い冷凍プローブであって、該冷凍プローブは極低温媒体が導入され得る細長い針メンバーを備え、該遠位端は処置される組織中に配置されるように適合され、かつ活性化の際に該組織においてアイスボールを形成することができ、該遠位端は露出された導電性の第1の部分を有する、プローブ、
シースから突出する冷凍プローブの遠位端を有する冷凍プローブを同軸状に取り囲む細長いシースを備えるエネルギー伝導エレメントであって、該シースは該冷凍プローブに取り外し可能に連結され、該第1の部分から該近位端に向かって間隔のあいた位置において露出した導電性の第2の部分を有する、エレメント、
該第1の部分と該第2の部分との間に挿入された電気的絶縁物質の第1の層、ならびに
該第2の部分以外の該エネルギー伝導エレメントの部分を覆う電気的絶縁物質の第2の層
を備え、
該第1の部分および該第2の部分は、該アイスボールの配置を制御するために該アイスボールを取り囲む組織を通して組織加熱エネルギーを方向付けるため組織加熱エネルギーの供給源に対する操作可能な接続のために適合される、装置。
【請求項３３】
電気的絶縁の第1の層が針とシースとの間に挿入され、該絶縁の遠位端部分は該シースから外側に長軸方向に広がり、該針の遠位端は該絶縁から外側に長軸方向に広がる、請求項32記載の装置。
【請求項３４】
冷凍プローブにシースを固定するための取り外し可能なインターロックをさらに備える、請求項32記載の装置。
【請求項３５】
冷凍プローブの遠位端の領域において温度を感知することができる温度センサーをさらに備える、請求項32記載の装置。
【請求項３６】
第2の部分の領域において温度を感知することができる温度センサーをさらに備える、請求項32記載の装置。
【請求項３７】
冷凍プローブが、該冷凍プローブに極低温媒体を供給するための機構に操作可能に接続されるように適合されたコネクターを備える、請求項32記載の装置。
【請求項３８】
エネルギーの供給源が高周波エネルギー発生装置を備える、請求項32記載の装置。
【請求項３９】
第1の部分および第2の部分の一方が高周波発生装置に操作可能に接続され、かつ第1の部分および第2の部分の他方がアース端子に接続されている、請求項38記載の装置。
【請求項４０】
第2の部分が電気的アースに接続され、かつ導電性アースの針をさらに備え、該針は、冷凍プローブから側方に間隔のあいた組織中に配置され且つアイスボールの配置のさらなる制御を供給するためにアース端子に接続される、請求項39記載の装置。
【請求項４１】
アース針の遠位端部分が露出され、かつ電気的絶縁物質がアース針の残りの部分を覆う、請求項40記載の装置。
【請求項４２】
冷凍外科療法用装置であって、
処置される組織中に配置されるように適合され、かつ活性化の際に該組織においてアイスボールを形成するために組織を冷却することが可能である冷凍プローブ上に近位端、遠位端、および冷却部分と、該冷却部分の領域に露出された導電性の第1の部分とを有する細長い冷凍プローブ、
隣接する組織中に配置されるが、露出した導電性の第2の部分を有する第1の部分から間隔があくように適合されるエネルギー伝導エレメント、ならびに
第1の部分または第2の部分の一方に操作可能に連結され、かつアイスボールの配置を制御するために該アイスボールの領域における組織の加熱を生じることが可能である、組織加熱電磁エネルギーの供給源
を備える、装置。
【請求項４３】
電磁エネルギーの供給源に接続されていない第1の部分または第2の部分の他方がアース端子に接続されるように適合されている、請求項42記載の装置。
【請求項４４】
電磁エネルギーの供給源が高周波発生装置を備える、請求項42記載の装置。
【請求項４５】
冷凍プローブによって組織中で形成されたアイスボールの配置を制御するための方法であって、
熱伝導性冷却部分および電導性の第1の部分を有する冷凍プローブを供給する段階、
該第1の部分から間隔のあいた領域中で該冷凍プローブの一部を取り囲む電導性の第2の部分を有するエレメント、および該第1の部分と該第2の部分との間になされる電気的絶縁を提供する段階、
処置される組織に冷凍プローブを挿入する段階、
冷却部分に隣接した組織中でアイスボールを形成するために冷凍プローブを活性化する段階、
組織加熱電磁エネルギーの供給源に、該第1の部分および第2の部分の選択された一方を接続し、該アイスボールの領域中で組織の加熱を産生するために該選択された一方に電磁エネルギーを提供する段階
を含む、方法。
【請求項４６】
電磁エネルギーの供給源が高周波エネルギー発生装置である、請求項45記載の方法。
【請求項４７】
選択された一方を高周波エネルギー発生装置に接続し、他方をアース端子に接続する段階をさらに含む、請求項46記載の方法。
【請求項４８】
選択された一方から他方に、アイスボールを取り囲む組織を通して高周波エネルギーを通過させて該アイスボールに隣接した組織を加熱し、かつ該アイスボールの配置を制御する段階をさらに含む、請求項47記載の方法。
【請求項４９】
冷凍プローブから側方向に間隔のあいた組織に第2の導電性エレメントを挿入する段階、該第2のエレメントをアース端子に接続する段階、および選択された一方と第2のエレメントとの間の組織を通して高周波エネルギーを通過させてアイスボールの配置をさらに制御する段階をさらに含む、請求項48記載の方法。
【請求項５０】
組織中で形成されるアイスボールの配置を冷凍プローブによって制御するための方法であって、
導電性かつ熱伝導性の遠位端を有する冷凍プローブを供給する段階、
電導性エレメントを提供する段階、
冷凍プローブを処置される組織に挿入する段階、
伝導エレメントを、隣接するが冷凍プローブの遠位端からは間隔のあいている組織に挿入する段階、
該組織中でアイスボールを形成するために冷凍プローブを活性化する段階、
組織加熱エネルギーの供給源に、冷凍プローブの遠位端および該伝導エレメントの選択された一方を接続し、該アイスボールの領域中で組織を加熱するために該選択された一方に組織加熱エネルギーを供給する段階
を含む、方法。
【請求項５１】
組織加熱エネルギーの供給源が電磁エネルギー発生装置である、請求項50記載の方法。
【請求項５２】
電磁エネルギー発生装置に選択された一方を接続する段階、および冷凍プローブの遠位端の他方または導電性エレメントをアース端子に接続する段階をさらに含む、請求項51記載の方法。
【請求項５３】
選択された一方から他方まで、アイスボールを取り囲む組織を通して電磁エネルギーを通過させて、アイスボールに隣接する組織を加熱し、かつアイスボールの配置を制御する段階をさらに含む、請求項52記載の方法。
【請求項５４】
選択された修飾剤を冷凍プローブに隣接する組織に注入して、該注入された組織の組織加熱エネルギー伝導特性を修飾する段階をさらに含む、請求項50記載の方法。
【請求項５５】
冷凍プローブに隣接する組織にエレメントを注入する段階をさらに含み、該エレメントはそこにカプセル化された薬剤を有し、加熱された際に該薬剤を組織中に放出する、請求項50記載の方法。
【請求項５６】
電磁エネルギーの供給源が高周波エネルギー発生装置を備える、請求項50記載の方法。
【請求項５７】
電磁エネルギーの供給源がマイクロ波エネルギー発生装置を備える、請求項50記載の方法。
【請求項５８】
電磁エネルギーの供給源が可変周波数エネルギー発生装置を備える、請求項50記載の方法。
【請求項５９】
冷凍プローブを活性化する段階が0℃〜-180℃の範囲で組織中の温度を冷却することを生じる、請求項50記載の方法。
【請求項６０】
熱エネルギーを供給する段階が10℃〜200℃の範囲で組織中の温度を加熱することを生じる、請求項50記載の方法。
【請求項６１】
温度勾配を産生することが可能な患者の隣接組織を配置するための冷凍外科療法用装置であって、該組織における該温度勾配は該装置に接触する約0℃〜-180℃の範囲の低さから、該装置から間隔があいた組織の領域における約10℃〜200℃の範囲の高さまでに及ぶ、装置。
【請求項６２】
熱の範囲が組織における熱感受性化合物および/または熱感受性薬剤を活性化することができる、請求項61記載の装置。
【手続補正２】
【補正対象書類名】図面
【補正対象項目名】全図
【補正方法】変更
【補正の内容】
【図１】
2005534405.tif 000001
【図２】
2005534405.tif 000002
【図３】
2005534405.tif 000003
【図４】
2005534405.tif 000004
【図５】
2005534405.tif 000005
【図６】
2005534405.tif 000006
【図７】
2005534405.tif 000007
【図８】
2005534405.tif 000008